(57)【要約】【課題】厚さの増加が抑制された表示装置を提供する。【解決手段】複数の画素それぞれに設けられ、第１の色で発光する第１発光層を含む第１有機層４０ａと、複数の画素それぞれに設けられ、第１有機層の厚みに対して直交する方向に第１有機層と隣接し、第１の色と混合すると白色となる第２の色で発光する第２発光層を含む第２有機層４０ｂと、第１有機層４０ａ及び第２有機層４０ｂの下にそれぞれ設けられる下部電極２６と、第１有機層４０ａ及び第２有機層４０ｂの上にそれぞれ設けられる上部電極４１と、複数の画素ごとに、第１有機層４０ａ及び第２有機層４０ｂの上にそれぞれ設けられ、特定の波長範囲の光を透過するカラーフィルタ４４と、を有し、第１発光層４０ａ及び第２発光層４０ｂは、それぞれ、下部電極２６及び上部電極４１の一方から他方に流れる電流によって発光することを特徴とする表示装置。【選択図】図４
2016131071.tif 000002
【特許請求の範囲】
【請求項１】
複数の画素それぞれに設けられ、第１の色で発光する第１発光層を含む第１有機層と、
前記複数の画素それぞれに設けられ、前記第１有機層の厚みに対して直交する方向に前記第１有機層と隣接し、前記第１の色と混合すると白色となる第２の色で発光する第２発光層を含む第２有機層と、
前記第１有機層及び前記第２有機層の下にそれぞれ設けられる下部電極と、
前記第１有機層及び前記第２有機層の上にそれぞれ設けられる上部電極と、
前記複数の画素ごとに、前記第１有機層及び前記第２有機層の上にそれぞれ設けられ、特定の波長範囲の光を透過するカラーフィルタと、
を有し、
前記第１発光層及び前記第２発光層は、それぞれ、前記下部電極及び前記上部電極の一方から他方に流れる電流によって発光する
ことを特徴とする表示装置。
【請求項２】
前記複数の画素それぞれで、前記第１有機層の下に設けられる前記下部電極と、前記第２有機層の下に設けられる前記下部電極は、分離して設けられ、
前記複数の画素それぞれで、前記第１有機層の上に設けられる前記上部電極と、前記第２有機層の上に設けられる前記上部電極は、連続一体的に設けられている
ことを特徴とする請求項１に記載の表示装置。
【請求項３】
前記複数の画素のうち隣接する画素において、前記上部電極は、連続一体的に設けられている
ことを特徴とする請求項２に記載の表示装置。
【請求項４】
前記第１有機層及び前記第２有機層には、それぞれ、同じ方向に電流が流れる
ことを特徴とする請求項２又は３に記載の表示装置。
【請求項５】
前記第１有機層の下に設けられる前記下部電極に印加する第１の電圧と、前記第２有機層の下に設けられる前記下部電極に印加する第２の電圧と、を変化させる制御回路をさらに有する
ことを特徴とする請求項２乃至４のいずれか１項に記載の表示装置。
【請求項６】
前記複数の画素のうち隣接する画素において、前記上部電極は分離して設けられている
ことを特徴とする請求項２に記載の表示装置。
【請求項７】
前記第１有機層及び前記第２有機層には、それぞれ、互いに逆方向に電流が流れる
ことを特徴とする請求項２又は６に記載の表示装置。
【請求項８】
前記上部電極は、電荷発生層で形成されている
ことを特徴とする請求項２、６又は７に記載の表示装置。
【請求項９】
前記複数の画素それぞれで、前記第１有機層の下に設けられる前記下部電極と、前記第２有機層の下に設けられる前記下部電極は、連続一体的に設けられ、
前記複数の画素それぞれで、前記第１有機層の上に設けられる前記上部電極と、前記第２有機層の上に設けられる前記上部電極は、連続一体的に設けられている
ことを特徴とする請求項１に記載の表示装置。
【請求項１０】
前記複数の画素のうち隣接する画素において、前記下部電極は分離して設けられ、
前記複数の画素のうち隣接する画素において、前記上部電極は連続一体的に設けられている
ことを特徴とする請求項９に記載の表示装置。
【請求項１１】
前記第１有機層及び前記第２有機層には、それぞれ、同じ方向に電流が流れる
ことを特徴とする請求項９又は１０に記載の表示装置。
【発明の詳細な説明】
【技術分野】
【０００１】
本発明は、表示装置に関する。
【背景技術】
【０００２】
有機ＥＬ（Electro Luminescence）表示装置等の表示装置では、有機発光ダイオード（Organic Light Emitting Diode、ＯＬＥＤ）等の自発光素子をトランジスタ等のスイッチング素子を用いて制御し、画像を表示する場合がある。ここで、自発光素子として、いわゆるタンダム型の有機発光ダイオードを採用し、白色の光を得る場合がある。その場合、カラーフィルタを用いることでフルカラー表示を行うことができる。
【０００３】
下記特許文献１には、少なくとも２つの異なる層を備えていて外部電源に直接は接続されていない中間接続層を備えるタンデム式白色ＯＬＥＤデバイスが記載されている。
【先行技術文献】
【特許文献】
【０００４】
【特許文献１】特表２００８−５１１１００号公報
【発明の概要】
【発明が解決しようとする課題】
【０００５】
タンデム型の有機発光ダイオードにより白色発光を実現する場合、例えば黄色で発光する発光層と、青色で発光する発光層とを積層する場合がある。２以上の発光層を積層する場合、有機層の厚みが増加することとなり、表示装置の厚さも増加する。
【０００６】
そこで、本発明は、厚さの増加が抑制された表示装置の提供を目的とする。
【課題を解決するための手段】
【０００７】
本発明の表示装置は、複数の画素それぞれに設けられ、第１の色で発光する第１発光層を含む第１有機層と、前記複数の画素それぞれに設けられ、前記第１有機層の厚みに対して直交する方向に前記第１有機層と隣接し、前記第１の色と混合すると白色となる第２の色で発光する第２発光層を含む第２有機層と、前記第１有機層及び前記第２有機層の下にそれぞれ設けられる下部電極と、前記第１有機層及び前記第２有機層の上にそれぞれ設けられる上部電極と、前記複数の画素ごとに、前記第１有機層及び前記第２有機層の上にそれぞれ設けられ、特定の波長範囲の光を透過するカラーフィルタと、を有し、前記第１発光層及び前記第２発光層は、それぞれ、前記下部電極及び前記上部電極の一方から他方に流れる電流によって発光することを特徴とする。
【図面の簡単な説明】
【０００８】
【図１】本発明の第１の実施形態に係る表示装置の斜視図である。
【図２】本発明の第１の実施形態に係る表示パネルの配線図である。
【図３】本発明の第１の実施形態に係る表示装置の画素の等価回路図である。
【図４】本発明の第１の実施形態に係る表示装置の画素の断面図である。
【図５】本発明の第２の実施形態に係る表示装置の画素の等価回路図である。
【図６】本発明の第２の実施形態に係る表示装置の画素の断面図である。
【図７】本発明の第３の実施形態に係る表示装置の画素の等価回路図である。
【図８】本発明の第３の実施形態に係る表示装置の画素の断面図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
［第１の実施形態］
図１は、本発明の第１の実施形態に係る表示装置１を示す斜視図である。表示装置１は、上フレーム２と下フレーム３とで挟まれるように固定された表示パネル１０から構成されている。
【００１１】
図２は、本発明の第１の実施形態に係る表示パネル１０の配線図である。表示パネル１０は、表示領域１１にマトリクス状に設けられた各画素を、映像信号駆動回路１２及び走査信号駆動回路１３によって制御し、画像を表示する。ここで、映像信号駆動回路１２は、各画素に送る映像信号を生成し、発信する回路である。映像信号駆動回路１２は、有機発光ダイオードの輝度を調整する制御回路１２ａを含む。また、走査信号駆動回路１３は、画素に設けられたＴＦＴ（Thin Film Transistor、薄膜トランジスタ）への走査信号を生成し、発信する回路である。なお、図面において、映像信号駆動回路１２及び走査信号駆動回路１３は、２箇所に形成されるものとして図示されているが、１つのＩＣ（Integrated Circuit）に組み込まれていてもよいし、３箇所以上に分かれて形成されてもよい。
【００１２】
図３は、本発明の第１の実施形態に係る表示装置１の画素の等価回路図である。走査信号駆動回路１３からの信号を伝える走査線１４は、画素ＰＸに形成された２つの画素トランジスタＳＳＴのゲートにそれぞれ電気的に接続される。走査線１４は、１つの行に並ぶ画素トランジスタについて共通である。映像信号駆動回路１２からの信号を伝える映像信号線１５は、画素トランジスタＳＳＴのソース又はドレインのいずれか一方に電気的に接続される。映像信号線１５は、１つの列に並ぶ画素トランジスタについて共通である。画素トランジスタＳＳＴのソース又はドレインは、駆動トランジスタＤＲＴのゲート及び蓄積容量Ｃｓに電気的に接続される。蓄積容量Ｃｓの他端は、電源線１６に電気的に接続される。また、第１駆動トランジスタＤＲＴ１及び第２駆動トランジスタＤＲＴ２それぞれのドレインは、電源線１６に電気的に接続され、第１駆動トランジスタＤＲＴ１のソースは第１有機発光ダイオードＯＬＥＤ１に電気的に接続され、第２駆動トランジスタＤＲＴ２のソースは第２有機発光ダイオードＯＬＥＤ１に電気的に接続される。第１有機発光ダイオードＯＬＥＤ１及び第２有機発光ダイオードＯＬＥＤ２の他端は、それぞれ接地電極（共通電極）に電気的に接続される。本実施形態に係る表示装置１の画素ＰＸは、第１有機発光ダイオードＯＬＥＤ１及び第２有機発光ダイオードＯＬＥＤ２という２つの有機発光ダイオードを含む。
【００１３】
走査線１４に走査信号に応じた電圧が印加されると画素トランジスタＳＳＴがオン状態となる。その状態で図３の左側の映像信号線１５に映像信号に応じた電圧（映像信号電圧）が印加されると蓄積容量Ｃｓに映像信号電圧が書き込まれ、第１駆動トランジスタＤＲＴ１のゲートに映像信号電圧が印加されて第１駆動トランジスタＤＲＴ１がオン状態となる。第１駆動トランジスタＤＲＴ１のドレインに電気的に接続された電源線１６には、第１有機発光ダイオードＯＬＥＤ１を発光させるための電源電圧が印加される。第１駆動トランジスタＤＲＴ１がオン状態となると、映像信号電圧の大きさに応じた電流が第１駆動トランジスタＤＲＴ１のチャネルに流れる。第１駆動トランジスタＤＲＴ１のチャネルに電流が流れると、第１有機発光ダイオードＯＬＥＤ１に電流が流れ、発光層を形成する材料が励起され、光を発する。一方、画素トランジスタＳＳＴがオン状態となった場合に、図３の右側の映像信号線１５に映像信号電圧が印加されると、第２駆動トランジスタＤＲＴ２がオン状態となり、第２有機発光ダイオードＯＬＥＤ２が発光する。本実施形態に係る表示装置１は、映像信号駆動回路１２及び走査信号駆動回路１３の生成する信号電圧によって各画素に設けられた画素トランジスタＳＳＴ及び駆動トランジスタＤＲＴのオンオフを制御し、画像を表示する。
【００１４】
図４は、本発明の第１の実施形態に係る表示装置１の画素の断面図である。表示パネル１０の最下層には、基板２０が配置される。基板２０は、ガラス又は人工樹脂等により形成される。
【００１５】
基板２０の上には、ＳｉＮｘ、ＳｉＯｙ等により下地膜２１が形成される。下地膜２１の上には、駆動トランジスタのドレイン電極３０とソース電極３３とを電気的に接続するチャネル層３２が形成される。チャネル層３２は、多結晶シリコンで形成される。なお、チャネル層３２は非晶質シリコン等で形成されてもよい。下地膜２１及びチャネル層３２の上には、ＳｉＮｘ、ＳｉＯｙ等により第１絶縁膜２２が形成される。第１絶縁膜２２の上には、金属材料により駆動トランジスタのゲート電極３１が形成される。第１絶縁膜２２及びゲート電極３１の上には、ＳｉＮｘ、ＳｉＯｙ等により第２絶縁膜２３が形成される。第２絶縁膜２３及び第１絶縁膜２２には、チャネル層３２に達するスルーホールが設けられ、金属材料により駆動トランジスタのドレイン電極３０及びソース電極３３が形成される。ドレイン電極３０、ソース電極３３及び第２絶縁膜２３の上には、ＳｉＮｘ、ＳｉＯｙ等により層間絶縁膜２４が形成される。層間絶縁膜２４の上には、ＳｉＮｘ、ＳｉＯｙ等により平坦化膜２５が形成される。なお、図４に示す例において、チャネル層３２はｎチャネル型であり、ドレイン電極３０側からソース電極３３側へ電流が流れる。
【００１６】
絶縁表面である平坦化膜２５上には、金属材料により第１下部電極２６ａ及び第２下部電極２６ｂが形成される。第１下部電極２６ａは、第１有機発光ダイオードＯＬＥＤ１の陽極となり、第２下部電極２６ｂは、第２有機発光ダイオードＯＬＥＤ２の陽極となる。第１下部電極２６ａと第２下部電極２６ｂは、分離して設けられる。第１下部電極２６ａ及び第２下部電極２６ｂは、平坦化膜２５及び層間絶縁膜２４に設けられたスルーホールを通じて、駆動トランジスタのソース電極３３にそれぞれ電気的に接続される。
【００１７】
平坦化膜２５、第１下部電極２６ａ及び第２下部電極２６ｂの上には、アクリル、ポリイミド等の感光性樹脂、又はＳｉＮｘ、ＳｉＯｙ等の無機材料により画素分離膜２７が形成される。画素分離膜２７は、第１下部電極２６ａ及び第２下部電極２６ｂの端部をそれぞれ覆い、電極間の短絡を防止する。また、画素分離膜２７は、以下に記載するように発光領域を規定する。
【００１８】
複数の画素ＰＸそれぞれには、第１の色で発光する第１発光層を含む第１有機層４０ａが設けられる。また、複数の画素ＰＸそれぞれには、第１有機層４０ａの厚みに対して直交する方向（基板２０に沿う方向）に第１有機層４０ａと隣接し、第１の色と混合すると白色となる第２の色で発光する第２発光層を含む第２有機層４０ｂが設けられる。第１有機層４０ａは、画素分離膜２７及び第１下部電極２６ａの上に形成される。第１有機層４０ａは、第１下部電極２６ａ側から順に、ホール輸送層、第１発光層、及び電子輸送層が積層されて形成される。ここで、第１発光層の上には、電子注入層が形成されてもよいし、電子輸送層と電子注入層とが順に形成されてもよい。また、第１発光層の下には、ホール注入層が形成されてもよいし、ホール注入層とホール輸送層とが順に形成されてもよい。同様に、第２有機膜４０ｂは、画素分離膜２７及び第２下部電極２６ｂの上に形成される。第１有機層４０ａと第２有機層４０ｂとは、画素分離膜２７上で隣接する。第２有機層４０ｂは、第２下部電極２６ｂ側から順に、ホール輸送層、第２発光層、及び電子輸送層が積層されて形成される。ここで、第２発光層の上には、電子注入層が形成されてもよいし、電子輸送層と電子注入層とが順に形成されてもよい。また、第２発光層の下には、ホール注入層が形成されてもよいし、ホール注入層とホール輸送層とが順に形成されてもよい。なお、隣接する画素において、第１有機層４０ａと第２有機層４０ｂとは互いに分離して設けられる。
【００１９】
本実施形態に係る表示装置１において、第１有機層４０ａに含まれる第１発光層は、第１の色である青色で発光する層であり、第２有機層４０ｂに含まれる第２発光層は、第２の色である黄色で発光する層である。第２の色である黄色は、第１の色である青色と混合することにより白色となる色である。本実施形態に係る表示装置１では、１つの画素は青色で発光する第１発光層と黄色で発光する第２発光層を含み、全体として白色で発光する。
【００２０】
第１下部電極２６ａは第１有機層４０ａの下に設けられ、第２下部電極２６ｂは第２有機層４０ｂの下に設けられる。第１発光層の発光領域は、第１発光層のうち第１下部電極２６ａの直上に形成される領域（第１発光層のうち画素分離膜２７の上に乗り上げない部分）である。また、第２発光層の発光領域は、第２発光層のうち第２下部電極２６ｂの直上に形成される領域（第２発光層のうち画素分離膜２７の上に乗り上げない部分）である。第１発光層及び第２発光層の発光領域には、ホール輸送層からホールが流入し、電子輸送層から電子が流入する。そして、第１発光層及び第２発光層において電子とホールの再結合が起こり、第１発光層及び第２発光層を形成する有機材料が励起され、高エネルギー準位から低エネルギー準位に遷移する際にそれぞれ青色と黄色の光を発する。
【００２１】
第１有機層４０ａ及び第２有機層４０ｂの上には、ＩＴＯ（Indium Tin Oxide）又はＩＺＯ（Indium Zinc Oxide）等の透明導電材料により上部電極４１がそれぞれ設けられる。本実施形態に係る表示装置１では、複数の画素それぞれで、第１有機層４０ａの上に設けられる上部電極４１と、第２有機層４０ｂの上に設けられる上部電極４１は、連続一体的に設けられる。また、上部電極４１は、複数の画素のうち隣接する画素において、連続一体的に設けられる。上部電極４１は、表示領域１１の全面に連続一体的に設けられてよい。
【００２２】
上部電極４１は、第１有機発光ダイオードＯＬＥＤ１及び第２有機発光ダイオードＯＬＥＤ２の共通電極であり、陰極となる。本実施形態に係る表示装置１では、第１発光層及び第２発光層は、それぞれ、下部電極２６及び上部電極４１の一方から他方に流れる電流によって発光する。また、第１有機層４０ａ及び第２有機層４０ｂには、それぞれ、同じ方向に電流が流れる。具体的に、第１有機層４０ａには、陽極である第１下部電極２６ａから、陰極である上部電極４１に向かって電流が流れる。また、第２有機層４０ｂには、陽極である第２下部電極２６ｂから、陰極である上部電極４１に向かって電極が流れる。
【００２３】
上部電極４１の上には、有機層の劣化を防ぐために、封止膜４２が形成される。さらに、充填剤４３が充填され、第１着色層４４ａ、第２着色層４４ｂ及び第３着色層４４ｃが設けられる。第１着色層４４ａ、第２着色層４４ｂ及び第３着色層４４ｃは、カラーフィルタを構成する層である。カラーフィルタは、複数の画素ごとに、第１有機層４０ａ及び第２有機層４０ｂの上にそれぞれ設けられ、特定の波長範囲の光を透過する。図４の例の場合、第１有機層４０ａ及び第２有機層４０ｂの上には緑色の光を透過する第２着色層４４ｂが設けられる。また、第１着色層４４ａは赤色の光を透過し、第３着色層４４ｃは青色の光を透過する。これらの着色層に加えて、白色の光を透過する着色層を設けることで、赤、緑、青及び白の発光色をそれぞれ有する画素を構成することができる。本実施形態に係る表示装置１では、赤、緑、青及び白の発光色を有する４つの画素を１単位として、当該１単位の画素がマトリクス状に配置されてフルカラー表示が行われる。また、本実施形態に係る表示装置１では、１つの画素に８つの有機発光ダイオードが含まれる。なお、着色層が透過する色は上述した色以外であってもよいし、白色の画素を設けなくてもフルカラー表示を行うことができる。
【００２４】
第１着色層４４ａ、第２着色層４４ｂ及び第３着色層４４ｃの上には、対向基板４５が貼り合わされて密封される。対向基板４５の表面又は裏面には、ブラックマトリクスが形成されてもよい。また、対向基板４５の表面には、タッチパネルが設けられてもよい。
【００２５】
本実施形態に係る表示装置１の映像信号駆動回路１２は、第１下部電極２６ａ（第１有機層４０ａの下に設けられる下部電極）に印加する第１の電圧と、第２下部電極２６ｂ（第２有機層４０ｂの下に設けられる下部電極）に印加する第２の電圧と、を変化させる制御回路１２ａを有する。一般に、青色で発光する有機層と、黄色で発光する有機層とでは、経年による特性変化の度合いが異なる。そのため、表示装置を長年使用することにより、青色と黄色の輝度に差異が生じて、画素の発光色が変化してしまい、表示装置により表示される画像の色味が変化してしまう場合がある。本実施形態に係る表示装置１によれば、第１有機層４０ａと第２有機層４０ｂの特性が変化した場合であっても、第１下部電極２６ａに印加する第１の電圧と、第２下部電極２６ｂに印加する第２の電圧と、を変化させる制御回路を有することにより、第１有機発光ダイオードＯＬＥＤ１と第２有機発光ダイオードＯＬＥＤ２の輝度をそれぞれ独立に調整することができ、表示装置１により表示される画像の色味を調整することができる。
【００２６】
本実施形態に係る表示装置１では、青色で発光する第１有機層４０ａと黄色で発光する第２有機層４０ｂとが、基板２０に沿う方向に隣接して設けられる。そのため、複数の有機層を積層する場合と比較して、厚さの増加が抑制された表示装置が提供される。
【００２７】
［第２の実施形態］
図５は、本発明の第２の実施形態に係る表示装置１ａの画素の等価回路図である。また、図６は、本発明の第２の実施形態に係る表示装置１ａの画素の断面図である。本実施形態に係る表示装置１ａは、第１有機発光ダイオードＯＬＥＤ１と第２有機発光ダイオードＯＬＥＤ２とが直列に接続され、１つの駆動トランジスタＤＲＴで制御される点で、第１の実施形態に係る表示装置１と異なる。本実施形態では、１つの画素ＰＸに１つの駆動トランジスタＤＲＴと、２つの有機発光ダイオードが設けられる。また、本実施形態に係る表示装置１ａと、第１の実施形態に係る表示装置１とでは、第２有機層４０ｃ及び上部電極４２ａの構成が異なる。その他の構成について、本実施形態に係る表示装置１と、第１の実施形態に係る表示装置１とは対応する構成を有する。
【００２８】
本実施形態に係る表示装置１ａでは、複数の画素のうち隣接する画素において、上部電極４１ａは分離して設けられる。上部電極４１ａは、画素を分離する画素分離膜２７の上で分離して設けられ、複数の画素それぞれについて独立に設けられる。また、上部電極４１ａは、第１有機層４０ａ及び第２有機層４０ｃの端部を囲むように形成される。
【００２９】
複数の画素ＰＸそれぞれには、青色で発光する第１発光層を含む第１有機層４０ａと、第１有機層４０ａの厚みに対して直交する方向（基板２０に沿う方向）に第１有機層４０ａと隣接し、黄色で発光する第２発光層を含む第２有機層４０ｂとが設けられる。第１有機層４０ａは、第１下部電極２６ａ側から順に、ホール輸送層、第１発光層及び電子輸送層が積層されて形成される。ここで、第１発光層の上には、電子注入層が形成されてもよいし、電子輸送層と電子注入層とが順に形成されてもよい。また、第１発光層の下には、ホール注入層が形成されてもよいし、ホール注入層とホール輸送層とが順に形成されてもよい。
【００３０】
本実施形態に係る表示装置１ａでは、第２有機層４０ｃは、第２発光層以外にホール輸送層及び電子輸送層を含み、積層順序が第１有機層４０ａと逆順序である。すなわち、第２有機層４０ｃは、第２下部電極２６ｂ側から順に、電子輸送層、第２発光層及びホール輸送層が積層されて形成される。ここで、第２発光層の上には、ホール注入層が形成されてもよいし、ホール輸送層とホール注入層とが順に形成されてもよい。また、第２発光層の下には、電子注入層が形成されてもよいし、電子注入層と電子輸送層とが順に形成されてもよい。
【００３１】
上部電極４１ａは、電子及びホールを生成する電荷発生層で形成され、第１有機層４０ａに電子を供給し、第２有機層４０ｃにホールを供給する。本実施形態に係る表示装置１では、第１発光層及び第２発光層は、それぞれ、下部電極２６及び上部電極４１ａの一方から他方に流れる電流によって発光する。また、第１有機層４０ａ及び第２有機層４０ｃには、それぞれ、互いに逆方向に電流が流れる。具体的に、第１有機層４０ａには、陽極である第１下部電極２６ａから、陰極である上部電極４１ａに向かって電流が流れる。また、第２有機層４０ｃには、陽極である上部電極４１ａから、陰極である第２下部電極２６ｂに向かって電極が流れる。ここで、第２下部電極２６ｂは、接地電極３４に電気的に接続される。なお、上部電極４１ａは、ＩＴＯやＩＺＯ等で形成されてもよい。
【００３２】
本実施形態に係る表示装置１ａでは、第１有機層４０ａ及び第２有機層４０ｃの発光が１つの駆動トランジスタＤＲＴで制御され、第１有機層４０ａと第２有機層４０ｃとが基板２０に沿う方向に隣接して設けられる。そのため、複数の有機層を積層する場合と比較して厚さの増加が抑制され、トランジスタ数の増加が抑制された表示装置が提供される。
【００３３】
［第３の実施形態］
図７は、本発明の第３の実施形態に係る表示装置１ｂの画素の等価回路図である。また、図８は、本発明の第３の実施形態に係る表示装置１ｂの画素の断面図である。本実施形態に係る表示装置１ｂは、第１有機発光ダイオードＯＬＥＤ１と第２有機発光ダイオードＯＬＥＤ２とが並列に接続され、１つの駆動トランジスタＤＲＴで制御される点で第１の実施形態に係る表示装置１と異なる。本実施形態では、１つの画素ＰＸに１つの駆動トランジスタＤＲＴと、２つの有機発光ダイオードが設けられる。また、本実施形態に係る表示装置１ｂと、第１の実施形態に係る表示装置１とでは、共通下部電極２６ｃの構成が異なる。その他の構成について、本実施形態に係る表示装置１ｂと、第１の実施形態に係る表示装置１とは対応する構成を有する。
【００３４】
本実施形態に係る表示装置１では、複数の画素ＰＸそれぞれにおいて、第１有機層４０ａの下に設けられる共通下部電極２６ｃと、第２有機層４０ｂの下に設けられる共通下部電極２６ｃとが、連続一体的に設けられる。すなわち、共通下部電極２６ｃは、画素ごとに、第１有機発光ダイオードＯＬＥＤ１及び第２有機発光ダイオードＯＬＥＤ２について共通に設けられる。また、共通下部電極２６ｃは、複数の画素ＰＸのうち隣接する画素ＰＸにおいて、分離して設けられる。本実施形態に係る表示装置１では、複数の画素ＰＸそれぞれで、第１有機層４０ａの上に設けられる上部電極４１と、第２有機層４０ｂの上に設けられる上部電極４１は、連続一体的に設けられる。上部電極４１は、複数の画素ＰＸのうち隣接する画素ＰＸにおいて、連続一体的に設けられる。上部電極４１は、表示領域１１の全面に連続一体的に設けられてよい。
【００３５】
複数の画素ＰＸそれぞれには、青色で発光する第１発光層を含む第１有機層４０ａと、第１有機層４０ａの厚みに対して直交する方向（基板２０に沿う方向）に第１有機層４０ａと隣接し、黄色で発光する第２発光層を含む第２有機層４０ｂとが設けられる。第１有機層４０ａは、共通下部電極２６ｃ側から順に、ホール輸送層、第１発光層及び電子輸送層が積層されて形成される。ここで、第１発光層の上には、電子注入層が形成されてもよいし、電子輸送層と電子注入層とが順に形成されてもよい。また、第１発光層の下には、ホール注入層が形成されてもよいし、ホール注入層とホール輸送層とが順に形成されてもよい。同様に、第２有機層４０ｂは、共通下部電極２６ｃ側から順に、ホール輸送層、第２発光層及び電子輸送層が積層されて形成される。ここで、第２発光層の上には、電子注入層が形成されてもよいし、電子輸送層と電子注入層とが順に形成されてもよい。また、第２発光層の下には、ホール注入層が形成されてもよいし、ホール注入層とホール輸送層とが順に形成されてもよい。なお、隣接する画素において、第１有機層４０ａと第２有機層４０ｂとは互いに分離して設けられる。また、第１有機層４０ａと第２有機層４０ｂとが接する箇所に画素分離膜２７を設けてもよい。
【００３６】
本実施形態に係る表示装置１ｂでは、第１発光層及び第２発光層は、それぞれ、共通下部電極２６ｃ及び上部電極４１の一方から他方に流れる電流によって発光する。また、第１有機層４０ａ及び第２有機層４０ｂには、それぞれ、同じ方向に電流が流れる。具体的に、第１有機層４０ａには、陽極である共通下部電極２６ｃから、陰極である上部電極４１に向かって電流が流れる。また、第２有機層４０ｂには、陽極である共通下部電極２６ｃから、陰極である上部電極４１に向かって電極が流れる。
【００３７】
本実施形態に係る表示装置１ｂでは、第１有機層４０ａ及び第２有機層４０ｂの発光が１つの駆動トランジスタＤＲＴで制御され、第１有機層４０ａと第２有機層４０ｂとが基板２０に沿う方向に隣接して設けられる。そのため、複数の有機層を積層する場合と比較して厚さの増加が抑制され、トランジスタ数の増加が抑制された表示装置が提供される。
【００３８】
本発明の実施形態として上述した表示装置を基にして、当業者が適宜設計変更して実施し得る全ての表示装置も、本発明の要旨を包含する限り、本発明の範囲に属する。例えば、それぞれの画素が赤紫色で発光する有機層と緑色で発光する有機層とを有する表示装置や、それぞれの画素が水色で発光する有機層と赤色で発光する有機層とを有する表示装置も本発明の範囲に属する。
【００３９】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【００４０】
また、本実施形態において述べた態様によりもたらされる他の作用効果について本明細書記載から明らかなもの、又は当業者において適宜想到し得るものついては、当然に本発明によりもたらされるものと解される。
【符号の説明】
【００４１】
１，１ａ，１ｂ  表示装置、２  上フレーム、３  下フレーム、１０  表示パネル、１１  表示領域、１２  映像信号駆動回路、１２ａ  制御回路、１３  走査信号駆動回路、１４  走査線、１５  映像信号線、１６  電源線、２０  基板、２１  下地膜、２２  第１絶縁層、２３  第２絶縁層、２４  層間絶縁膜、２５  平坦化膜、２６ａ  第１下部電極、２６ｂ  第２下部電極、２６ｃ  共通下部電極、２７  画素分離膜、３０  ソース電極、３１  ゲート電極、３２  半導体層、３３  ドレイン電極、３４  接地電極、４０ａ  第１有機層、４０ｂ，４０ｃ  第２有機層、４１，４１ａ  上部電極、４２  封止膜、４３  充填剤、４４ａ  第１カラーフィルタ、４４ｂ  第２カラーフィルタ、４４ｃ  第３カラーフィルタ、４５  対向基板、ＰＸ  画素、ＳＳＴ  画素トランジスタ、Ｃｓ  蓄積容量、ＤＲＴ１  第１駆動トランジスタ、ＤＲＴ２  第２駆動トランジスタ、ＯＬＥＤ１  第１有機発光ダイオード、ＯＬＥＤ２  第２有機発光ダイオード。
【図１】
2016131071.tif 000003
【図２】
2016131071.tif 000004
【図３】
2016131071.tif 000005
【図４】
2016131071.tif 000006
【図５】
2016131071.tif 000007
【図６】
2016131071.tif 000008
【図７】
2016131071.tif 000009
【図８】
2016131071.tif 000010